【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
ビデオ情報を復号する方法であって、
ベースレイヤ（ＢＬ）、エンハンスメントレイヤ（ＥＬ）、またはその両方に関連するビデオ情報を記憶するように構成されたメモリユニットであって、ここにおいて、前記ＢＬは、ＢＬ幅値およびＢＬ高さ値を有する１つまたは複数のＢＬピクチャを備え、前記ＥＬは、ＥＬ幅値およびＥＬ高さ値を有する１つまたは複数のＥＬピクチャを備える、メモリユニットに結合されたプロセッサを用いて、
（１）前記ＢＬ幅値および前記ＥＬ幅値に基づいて第１のスケーリングファクタ、および（２）前記ＢＬ高さ値および前記ＥＬ高さ値に基づいて第２のスケーリングファクタを決定することと、ここにおいて、前記第１のスケーリングファクタは、前記第２のスケーリングファクタとは異なり、
スケーリング関数への入力として前記決定された第１のスケーリングファクタを使用して、前記ベースレイヤに関連する要素の第１の成分を空間的にスケーリングすることと、ここにおいて、前記スケーリング関数は、時間動きベクトル予測子（ＴＭＶＰ）を生成するために、動きベクトルを時間的にスケーリングするように構成され、
前記スケーリング関数への入力として前記決定された第２のスケーリングファクタを使用して前記ＢＬに関連する前記要素の第２の成分を空間的にスケーリングすることと、
前記要素の前記空間的にスケーリングされた第１および第２の成分を使用して前記ビデオ情報を復号することと
を備える、方法。
【請求項２】
ビデオ情報を符号化する方法であって、
ベースレイヤ（ＢＬ）、エンハンスメントレイヤ（ＥＬ）、またはその両方に関連するビデオ情報を記憶するように構成されたメモリユニットであって、ここにおいて、前記ＢＬは、ＢＬ幅値およびＢＬ高さ値を有する１つまたは複数のＢＬピクチャを備え、前記ＥＬは、ＥＬ幅値およびＥＬ高さ値を有する１つまたは複数のＥＬピクチャを備える、メモリユニットに結合されたプロセッサを用いて、
（１）前記ＢＬ幅値および前記ＥＬ幅値に基づいて第１のスケーリングファクタ、および（２）前記ＢＬ高さ値および前記ＥＬ高さ値に基づいて第２のスケーリングファクタを決定することと、ここにおいて、前記第１のスケーリングファクタは、前記第２のスケーリングファクタとは異なり、
スケーリング関数への入力として前記決定された第１のスケーリングファクタを使用して、前記ベースレイヤに関連する要素の第１の成分を空間的にスケーリングすることと、ここにおいて、前記スケーリング関数は、時間動きベクトル予測子（ＴＭＶＰ）を生成するために、動きベクトルを時間的にスケーリングするように構成され、
前記スケーリング関数への入力として前記決定された第２のスケーリングファクタを使用して前記ＢＬに関連する前記要素の第２の成分を空間的にスケーリングすることと、
前記要素の前記空間的にスケーリングされた第１および第２の成分を使用して前記ビデオ情報を符号化することと
を備える、方法。
ＢＬ高さ値ＥＬ高さ値
【請求項３】
前記第１のスケーリングファクタは、（ａ）第１のＥＬ空間寸法値と第１のＢＬ空間寸法値との比率と、（ｂ）第１の所定の値との積を備え、前記第２のスケーリングファクタは、（ａ）第２のＥＬ空間寸法値と第２のＢＬ空間寸法値との比率と、（ｂ）前記所定の値との積を備える、請求項１または２に記載の方法。
【請求項４】
前記所定の値は２５６である、請求項３に記載の方法。
【請求項５】
第１のＥＬ空間寸法値は、（ａ）所定の値によって乗算されたＥＬ幅寸法値と、（ｂ）オフセット値との和を備え、ここにおいて、第１のＢＬ空間寸法値は、ＢＬ幅寸法値を備える、請求項１または２に記載の方法。
【請求項６】
前記オフセット値は、前記ＢＬ幅寸法値の１／２であり、
前記オフセット値は、前記ＢＬ幅寸法値の１／２よりも１小さい、請求項５に記載の方法。
【請求項７】
第１のＥＬ空間寸法値および第１のＢＬ空間寸法値は、０から前記ＢＬの最大幅寸法値までの範囲内にある、請求項１または２に記載の方法。
【請求項８】
前記要素は動きベクトルを備え、
前記要素は、ピクセルまたはビデオブロックの空間位置を備える、請求項１または２に記載の方法。
【請求項９】
前記第１および第２のスケーリングファクタを決定することは、除算演算を実行することなしに前記第１および第２のスケーリングファクタを決定することを備え、
前記第１および第２のスケーリングファクタを決定することは、前記第１および第２のスケーリングファクタに関連する除算演算ごとにルックアップテーブルを使用することによって、前記第１および第２のスケーリングファクタを決定することを備える、請求項１または２に記載の方法。
【請求項１０】
第２のＢＬ空間寸法値および第２のＥＬ空間寸法値は、０から前記ＢＬの最大幅寸法値までの範囲内にある、請求項１または２に記載の方法。
【請求項１１】
前記第２のＢＬ空間寸法値は、前記１つまたは複数のＢＬピクチャの高さであり、前記第２のＥＬ空間寸法値は、前記１つまたは複数のＥＬピクチャの高さである、請求項１０に記載の方法。
【請求項１２】
実行されたとき、装置に、請求項１乃至１１のいずれか一項に記載の方法を行わせる命令を備える、非一時的コンピュータ可読媒体。
【請求項１３】
ビデオ情報を復号するように構成された装置であって、
（１）ベースレイヤ（ＢＬ）幅値およびエンハンスメントレイヤ（ＥＬ）幅値に基づいて第１のスケーリングファクタ、および（２）ＢＬ高さ値および前記ＥＬ高さ値に基づいて第２のスケーリングファクタを決定するための手段と、ここにおいて、前記第１のスケーリングファクタは、前記第２のスケーリングファクタとは異なり、
スケーリング関数への入力として前記決定された第１のスケーリングファクタを使用して、ベースレイヤに関連する要素の第１の成分を空間的にスケーリングするための手段と、ここにおいて、前記スケーリング関数は、時間動きベクトル予測子（ＴＭＶＰ）を生成するために、動きベクトルを時間的にスケーリングするように構成され、
前記スケーリング関数への入力として前記決定された第２のスケーリングファクタを使用して前記ＢＬに関連する前記要素の第２の成分を空間的にスケーリングするための手段と、
前記要素の前記空間的にスケーリングされた第１および第２の成分を使用して前記ビデオ情報を復号するための手段と
を備える、装置。
【請求項１４】
ビデオ情報を符号化するように構成された装置であって、
（１）ベースレイヤ（ＢＬ）幅値およびエンハンスメントレイヤ（ＥＬ）幅値に基づいて第１のスケーリングファクタ、および（２）ＢＬ高さ値および前記ＥＬ高さ値に基づいて第２のスケーリングファクタを決定するための手段と、ここにおいて、前記第１のスケーリングファクタは、前記第２のスケーリングファクタとは異なり、
スケーリング関数への入力として前記決定された第１のスケーリングファクタを使用して、ベースレイヤに関連する要素の第１の成分を空間的にスケーリングするための手段と、ここにおいて、前記スケーリング関数は、時間動きベクトル予測子（ＴＭＶＰ）を生成するために、動きベクトルを時間的にスケーリングするように構成され、
前記スケーリング関数への入力として前記決定された第２のスケーリングファクタを使用して前記ＢＬに関連する前記要素の第２の成分を空間的にスケーリングするための手段と、
前記要素の前記空間的にスケーリングされた第１および第２の成分を使用して前記ビデオ情報を符号化するための手段と
を備える、装置。
【請求項１５】
前記装置は、デジタルテレビジョン、デジタルダイレクトブロードキャストシステム、ワイヤレスブロードキャストシステム、携帯情報端末（ＰＤＡ）、ラップトップコンピュータ、デスクトップコンピュータ、タブレットコンピュータ、電子ブックリーダ、デジタルカメラ、デジタル記録デバイス、デジタルメディアプレーヤ、ビデオゲームデバイス、ビデオゲームコンソール、セルラー電話、衛星無線電話、スマートフォン、ビデオ遠隔会議デバイス、およびビデオストリーミングデバイスからなる群から選択されるデバイスである、請求項１３または１４に記載の装置。